(57)【要約】  最適な量の硬化光エネルギーを歯列弓の口内、口外、及び顎外の部分に正確に分散させ歯科材料を硬化させる発光トレイを備える光硬化デンタルシステム。光硬化デンタルシステムは、概して、光源と、発光歯科トレイと、起動モジュールと、光硬化性歯科材料と、を含む。【選択図】図４２
2020514001.tif 000002
【特許請求の範囲】
【請求項１】
所定量の光硬化性歯科材料を受けるための少なくとも１つのチャネルを有する本体と、導光体とを有する歯科トレイと、
少なくとも１つのバッテリーを有する、又は電気的動力源及び少なくとも１つの光源に接続可能である、光エンジンと、
を備え、
前記光源は、前記光源が前記導光体に光学的に連結可能なように前記歯科トレイに接続することができ、
前記導光体は、前記歯科トレイの前記本体に沿って延び、歯列弓の内外部分に向けて方向付けられ、前記本体にある前記歯科材料及び前記本体の外に溢れた前記歯科材料の適切な硬化を可能にする、歯科トレイシステム。
【請求項２】
前記歯科トレイは、再利用可能である、請求項１に記載の歯科トレイシステム。
【請求項３】
前記歯科トレイは、前記光硬化性歯科材料を事前埋設されるライナーをさらに含み、前記ライナーは、前記チャネル内に置かれる、請求項２に記載の歯科トレイシステム。
【請求項４】
前記歯科トレイは、使い捨てである、請求項１に記載の歯科トレイシステム。
【請求項５】
前記歯科トレイは、オートクレーブ可能である、請求項２に記載の歯科トレイシステム。
【請求項６】
前記光源は、前記導光体と直接連結又は直接接触している、請求項１に記載の歯科トレイシステム。
【請求項７】
前記光源は、前記導光体と直接接触しない、請求項１に記載の歯科トレイシステム。
【請求項８】
前記導光体は、前記光源から前記光硬化性歯科材料に光を伝送するライトパイプである、請求項１に記載の歯科トレイシステム。
【請求項９】
前記光硬化性歯科材料は、光に晒されて活性化し、硬化される、請求項８に記載の歯科トレイシステム。
【請求項１０】
前記少なくとも１つの光源は、発光ダイオードである、請求項１に記載の歯科トレイシステム。
【請求項１１】
前記光エンジンは、充電可能である、請求項１に記載の歯科トレイシステム。
【請求項１２】
前記歯科トレイは、シングルアーチトレイである、請求項１に記載の歯科トレイシステム。
【請求項１３】
前記少なくとも１つのチャネルは、前記光硬化性歯科材料の大部分を前記歯科トレイ内に保持することができる機械的保持機能を含む、請求項１２に記載の歯科トレイシステム。
【請求項１４】
前記歯科材料トレイは、ダブルアーチトレイである、請求項１に記載の歯科トレイシステム。
【請求項１５】
前記ダブルアーチトレイは、２つのチャネルを含む、請求項１４に記載の歯科トレイシステム。
【請求項１６】
前記導光体は、前記２つの対向するチャネル間に置かれる、請求項１５に記載の歯科トレイシステム。
【請求項１７】
前記２つのチャネル間には、スペーサが置かれる、請求項１５に記載の歯科トレイシステム。
【請求項１８】
前記本体は、前記光硬化性歯科材料の全体にわたって光を分散する上で、前記導光体の助けとなる分散機能をさらに含む、請求項１に記載の歯科トレイシステム。
【請求項１９】
前記スペーサは、半透明咬合性基板である、請求項１７に記載の歯科トレイシステム。
【請求項２０】
前記歯科トレイは、既製の歯科矯正ワイヤ及びブラケットアセンブリを歯の上に置き接着するように構成される、請求項１に記載の歯科トレイシステム。
【請求項２１】
前記歯科トレイは、患者の歯の上に光活性化溶液を置き、その後前記溶液を置いた位置に適切な波長を加えるように構成される、請求項１に記載の歯科トレイシステム。
【発明の詳細な説明】
【技術分野】
【０００１】
本開示は、概して、光硬化印象システム、より具体的には、発光源からの光を正確に分散させ、口腔及び歯科解剖学的構造の口内、口外、及び顎外の部分への光エネルギーの量の制御を提供し、印象材の効果的で迅速な硬化を可能にする発光トレイを備える歯科印象用光硬化システムに関する。
【背景技術】
【０００２】
光硬化印象は、多くの理由から、過去商業的に成功していない。従来の硬化ランプを使用する印象材の光硬化は、長く時間がかかる。また、従前の照明トレイは、光が口の中の全部位又はトレイの外領域に達することができなかったため、口の中で全ての印象材を硬化させることができないということが示された。
【０００３】
当技術分野において、多くの光源及びトレイが既知であり、印象材を硬化するために使用される。光は、ある波長範囲で送られる。光源のうちいくつかは、ＬＥＤ及びレーザーを含む。米国特許第６，５１４，０７５号は、歯科用接着剤を硬化する又はホワイトニング剤を活性化させるための、埋め込み型ＬＥＤ及び無菌バリアスリーブを有するエラストマーワンドについて開示する。
【０００４】
米国特許公開公報第２００８／００３８６８５号は、少ない熱の発生及び歯列弓の均一な照射のためのエレクトロルミネセンスストリップを提供する。当該ストリップは、強度が弱く、一方向のみを照明し、そのため、印象トレイ境界の外側の溢れた領域にある材料を硬化することができない。
【０００５】
米国特許第５，３１６，４７３号は、光ファイバーの束又はＬＥＤで照明されるＵ形状の硬化光プローブ、照明されるＬＥＤ又は光ファイバーのトレイ内に収まる事前埋設トレイインサート、及び印象を外し、トレイを再利用するための外すことが可能なメッシュ部品を有するダブルアーチトレイについて開示する。しかし、デバイスは、トレイのへりから必然的に溢れる材料を容易に硬化することができない。光源は、また、複数の光ファイバーフィラメントを搭載するため、デバイスが嵩高くなり、製造が高価となる。米国特許第５，４８７，６６２号は、光硬化性印象材を硬化するための自給式光源を含む歯科印象用トレイについて開示する。しかし、このデバイスは、溢れた材料を硬化する能力に欠く。米国特許第５，７０２，２５０号は、トレイの頬側及び舌側の壁にＬＥＤ光のアレイと、トレイから外すことができる摺動可能なメッシュインサートとを有するダブルアーチトレイについて開示する。しかし、デバイスは、トレイの頬側の側壁に隣接するポケットに収容されるバッテリーで嵩高である。化学発光光源を有する歯科印象用トレイも、当技術分野に存在し、例えば、米国特許第５，７１８，５７７号である。ある量の光硬化性歯科印象材を受けるための少なくとも１つのチャネルを定める壁部分を有する本体を備えるトレイは、化学発光成分を受けるためのチャンバと、チャンバ内に化学発光成分を受け入れるためのチャンバと連通した注入開口とをも含む。トレイは、化学発光光源が歯科印象材に極めて接近することを可能にし、発した光が硬化のため、歯科印象材の様々な部位に分散されることを可能にする。光化学線は、印象材の重合をもたらすために、当技術分野において使用され、このことは、例えば、米国特許第４，８６７，６８２号に開示される。米国特許第６，０７７，０７３号は、接着剤、シーラント、及び／又はホワイトニング剤もしくはカラーリング剤を硬化するためのシース付き、マルチティース発光ダイオードアレイ光装置について開示する。デバイスは、ハウジングと、ヒトの口に対し非接触を維持するようにハウジング内に含有されるＬＥＤアレイとを有する。しかし、デバイスは、接着剤、シーラント、及びホワイトニング剤／カラーリング剤と共に使用されることが最良であり、別個の印象トレイが口への挿入のためにデバイスを嵩高くさせるため、印象材と共に使用されることは理想でない。米国特許第７，１４４，２４９号は、ホワイトニング及び衛生のため歯を電磁照射に晒すためのデバイスについて教示する。しかし、これは、印象材の硬化向けではない。歯のホワイトニング、歯の脱感作、及び歯周病予防など歯科処置用途向けの他のトレイが、当技術分野において存在し、米国特許第８，２１５，９５４号、米国特許第８，３７１，８５３号、及び米国特許公開公報第２０１５／００７９５３６  Ａ１号に開示される。
【０００６】
照明トレイを使用するとき、硬化することが困難なことがわかった大量の材料は、奥の軟口蓋に向かって流れる材料と、後方領域にある舌下に向かう材料と、深部硬口蓋で流れる厚い材料と、歯間領域又はよりオペークな修復により生まれる影の領域にある材料と、前庭にある材料と、を含む。すべての印象材を硬化させることが可能な照明トレイを作ることは、正しい光配向、熱の管理、異なる種類及び大きさのトレイ（例えば、フルアーチ、セグメント化、トリプルトレイ）への適応、人間工学的で使用が容易なシステムを作ること、及びクロスコンタミネーションの十分な制御を可能にしつつ、最終的には、ユーザーにとって使用毎の適正なコストをシステムにもたらすことの観点から、複数の試練を提起する。
【発明の概要】
【０００７】
これまで十分な硬化光を得られなかったトレイの領域及びトレイの外側への正確な方向の硬化光を通して、溢れた印象材を硬化させることができる、安価で、使用が容易で、嵩張らないシステムを提供することが望ましい。単回使用の使い捨てトレイだけでなく、再利用又は消毒することができるトレイを提供することが望ましい。電子装置がオートクレーブの過酷な環境に晒されることがないように、再利用可能なトレイから切り離すことができ、その結果、外すことが可能な電子装置モジュールを有するトレイが望ましい。また、オートクレーブ処理からの蒸気の出入りを妨げるために密閉されるトレイが望ましい。トレイは、オートクレーブの熱に耐えることができるＬＥＤ又は光源のみを含有してもよい。硬化光の起動モジュールに電力を供給する小さな充電式バッテリーを有するトレイも望ましい。
【０００８】
以下に記載する光硬化印象トレイシステムは、印象を記録するのにかかる時間を３０秒未満に減少させることができる。これは、施術者のみならず、材料がより短い時間、口の中にあるため、患者にも同様に利益がある。例えば、一般的なファストセット印象材は、通常、口での硬化に２．５分を要する。レギュラーセット材は、通常、５分以上かかることがある。材料が定置されるとき患者に不快で制御不能な口の動きを生じさせ、材料で患者は吐き気を催す場合があり、その結果印象の歪みとなる。
【０００９】
他の制限に加え、前述に関連した現状の制限は、概して、光源と、印象トレイと、起動／充電式モジュールと、印象材と、を備える印象システムに関する本開示により解決することができる。
【００１０】
従って、本開示の発明を実施するための形態をより理解することができるように、また、本開示による当技術分野への貢献がより認められるように、本開示の特徴の一部をかなり広範囲で概説する。本開示の付加的特徴を以下に記載する。
【００１１】
これに関し、本開示の少なくとも１つの実施形態を詳細に説明する前に、本開示がその用途において、以下の発明を実施するための形態に記載される又は図面で図解される構成詳細又は部品配置に限定されないことを理解されたい。本開示は、他の実施形態、並びに様々な手段で実践及び実行することが可能である。また、本明細書で採用される語法及び用語は、説明を目的としており、限定とみなすべきではないことも理解されたい。
【００１２】
以下、硬化光とは、総じて、光又は硬化光などを指し、トレイとは、総じて、光硬化トレイ、歯科印象用トレイ、光硬化印象システム、又は歯科印象用光硬化システムなどを指す。
【００１３】
目的の１つは、発光源からの光を正確に分散させる発光トレイからなる歯科印象用光硬化システムを提供すること、及び印象材の効果的で迅速な硬化を可能にするため、口腔の口内、口外、及び顎外の部分及び歯科解剖学的構造への光エネルギーの量の制御を提供することである。
【００１４】
別の目的は、システムの口内、口外、及び顎外の部分に最適な量のエネルギーを正確に送り、印象材の光硬化を可能にし、発生する熱の量を制限する光硬化印象システムを提供することである。
【００１５】
また別の目的は、歯科印象用システムを含む他の印象システムよりも歯科印象をより容易により素早くする光硬化印象システムを提供することである。親水性洗浄材料を歯の形成部周囲に容易で正確に置くことができ、その後、随意、数秒、発光トレイを用いて硬化させることができるため、このシステムは、容易である。
【００１６】
別の目的は、シングル及びダブルアーチ印象トレイを含む、事前埋設印象材１１０トレイを備える光硬化印象システムを提供することである。これは、事前埋設印象システムを作る方法にも関する。
【００１７】
別の目的は、ＬＥＤ（発光ダイオード）又はＯＬＥＤ（有機発光ダイオード）光源を使用して印象材を硬化させる光硬化印象システムを提供することである。
【００１８】
別の目的は、ＬＥＤ又はレーザーなどの照明源に連結されるライトパイプにより送られる光源を使用して印象材を硬化させる光硬化印象システムを提供することである。これは、口の外で発生しており、照明手段により発生する熱を有するという利点を有し、結果、プラスチックトレイ及びプラスチックライトパイクなどプラスチックのみで作られる低コストの使い捨てトレイとなる。加えて、ライトパイプは、トレイの所望の領域で光を抽出する切欠きを搭載し得る。切欠きの大きさ及び位置は、抜ける光の強度を変え、それにより性能を最適化するように調整することができる。
【００１９】
別の目的は、チップオンボード（ＣＯＢ）ＬＥＤ光源を使用して印象材を硬化させる光硬化印象システムを提供することである。
【００２０】
別の目的は、レーザー光源を使用して印象材を硬化させる光硬化印象システムを提供することである。
【００２１】
別の目的は、フレキシブルＬＥＤストリップである光源を使用して印象材を硬化させる光硬化印象システムを提供することである。
【００２２】
別の目的は、高い強度ピークでパルス化され、硬化材料への進入をより深くし、熱の発生をより少なくする光源を使用して印象材を硬化させる光硬化印象システムを提供することである。
【００２３】
別の目的は、光源上に分散する印象材の総厚を最小化し、それに伴い、必要なエネルギー及び患者の口で光源により発生する熱を減少させるように設計される光硬化印象システムを提供することである。
【００２４】
別の目的は、そのような場合があれば、その電子部品の全てと共にオートクレーブ可能である（例えば、ＬＥＤ、抵抗器、ＩＣなど全て、適宜封止されて、オートクレーブすることができる）光硬化印象システムを提供することである。
【００２５】
別の目的は、光源への電力及び起動を提供するための電子装置を有し、電力及び起動回路が、トレイから動作可能に外すことができ、エネルギーアタッチメントユニットに収容される、光硬化印象システムを提供することである。
【００２６】
本明細書に記載する他の目的及び利点は、読者にとって明らかとなるであろうし、これら目的及び利点が本開示の範囲内にあることが意図される。上記及び関連する目的を達成するため、本開示は、添付の図面に図解する形で具現化され得るが、図面は例示に過ぎず、本願の範囲内で、図解及び記載する特定の構成に変更が加えられてもよいという事実に留意されたい。
【００２７】
本開示の様々な他の目的、特徴、及び不随する利点は、添付図面と合わせて考察すると、より理解できるようになるため、これらは完全に理解されるであろう。図中、同じ参照符号が複数の図にわたって同一又は同様の要素に割り当てられる。
【図面の簡単な説明】
【００２８】
【図１】本開示の実施形態の分解上部斜視図である。図１は、事前埋設印象トレイインサート（印象材不図示）及び充電式起動モジュールを有する再利用可能なＬＥＤトレイを図解する。
【図２】実施形態の上部斜視図である。図２は、フレキシブルプリント回路ボード（ＰＣＢ）基板（ＬＥＤ不図示）を図解し、再利用可能なＬＥＤトレイを形成するため基板をどのようにプラスチックでの被包に適した形態に折るかを図解する。フレキシブルＰＣＢのこの実施形態は、患者の口の咽喉及び軟口蓋に向かって折られるパネルを有し、トレイの溢れる領域を硬化させる。
【図３】実施形態の上部斜視図である。左側は、印象トレイ形の半分の間のフレキシブルＰＣＢ被包についての図解であり、右側の図解では、さらにアセンブリがどのように下部ＬＥＤトレイを形成するかを示す。
【図４ａ】上面、側面、及び底面出射の３つの種類のＬＥＤの位置を示すフレキシブルＰＣＢの平面図である。
【図４ｂ】フレキシブル回路の反対側及びトレイの外側を照明する底面出射ＬＥＤ用の角穴を示す、ＬＥＤのない図４ａのフレキシブルＰＣＢの平面図である。細線は、折り目を表す。
【図５】ダブルアーチ印象ＬＥＤトレイ（トリプルトレイ又はクローズドバイトトレイ）のためのアセンブリ概念について図解する実施形態の上部斜視図である。
【図６】再利用可能なダブルアーチＬＥＤ印象トレイ及び事前埋設トレイインサート（印象材不図示）の図解である。
【図７】低粘性（低粘稠度部）洗浄材料及び高粘性（高粘稠度部）トレイ材料を用いた層状埋設技術を示す、事前埋設トレイインサート及びＬＥＤトレイの断面である。
【図８】トレイ材料が低粘稠部のためのトラフを形成する点を除いて図７にあるような事前埋設トレイインサートの断面である。
【図９ａ】咽喉又は軟口蓋へ漏れ出し得る材料の量を最小化するために、厚いダムを形成するトレイの後方区画にある事前埋設パテ粘性部を有するＬＥＤ光トレイの等角図を示す。
【図９ｂ】図９ａのトレイの上面図を示す。
【図１０】光の強度及び分散を調整するため、個別のＬＥＤのものに対しレンズが光を分散するか、又は光の焦点を合わせるかのいずれかをするＬＥＤ印象トレイの断面を示す。
【図１１ａ】ダブルアーチトレイのための、既製平面にある個別のＬＥＤ半導体ダイを有するアルミニウム基板（すなわち、チップオンボードＬＥＤ）を示す。
【図１１ｂ】プラスチック被包に先立ち、ダブルアーチ印象トレイの形に曲げられる、図１１ａのアルミニウムＬＥＤ基板を示す。
【図１１ｃ】図１１ｂにある基板のプラスチック被包を示す。
【図１２】実施形態の上部斜視図である。図１２は、上半分及び下半分を隔てる布メッシュを有し、１つの口がトレイの上部分に、１つの口がトレイの下部分にある充填口をトレイの前方区画に有するリッドストックでトリプルトレイを封止する概念を示す。
【図１３】事前埋設トレイ材料（不図示）を露出させるために外すことが可能である、トリプルトレイの上壁及び下壁に封止される共射出成形リッドストックを示す、実施形態の斜視図である。
【図１４】溢れやすく、硬化しにくい軟口蓋及び舌領域を表示する歯科解剖学的構造の図式である。
【図１５】溢れやすく、硬化しにくい硬口蓋、前庭、及び舌側後方領域を表示する、歯科解剖学的構造及びシングルアーチ印象トレイの断面図式である。
【図１６】硬化しにくい舌側後方領域を示す印象を示す。
【図１７】硬化しにくい大きな歯間領域を図解する。
【図１８】オペークで、影がかかる金属修復及び硬化しにくい領域を示す。
【図１９】口蓋領域と共にある上部トレイ及び硬化しなければならない印象材の結果として生じる厚い領域の図解である。
【図２０】口蓋領域のない上部トレイ及び硬化しなければならない、結果として生じる溢れ出たものを図解する。
【図２１】最適な硬化のため、光がトレイの壁を通りどのように伝わらなければならないかを示す図解である。
【図２２】図２１の図解に対し９０°の、最適な硬化のためのトレイの壁を通り光がどのように伝わらなければならないかを示す図解である。
【図２３】フレキシブルＬＥＤストリップを図解する。
【図２４ａ】トリプルトレイで作ることができるようなチャネルへの図２３のストリップの挿入の第１段階を示す。
【図２４ｂ】トリプルトレイで作ることができるようなチャネルへの図２３のストリップの挿入の第２段階を示す。
【図２４ｃ】トリプルトレイで作ることができるようなチャネルへの図２３のストリップの挿入の第３段階を示す。
【図２４ｄ】トリプルトレイで作ることができるようなチャネルへの図２３のストリップの挿入の第４段階を示す。
【図２５ａ】フルアーチトレイで作ることができるような２つのチャネルへの図２３のストリップの挿入の第１段階を示す。
【図２５ｂ】フルアーチトレイで作ることができるような２つのチャネルへの図２３のストリップの挿入の第２段階を示す。
【図２５ｃ】フルアーチトレイで作ることができるような２つのチャネルへの図２３のストリップの挿入の第３段階を示す。
【図２５ｄ】フルアーチトレイで作ることができるような２つのチャネルへの図２３のストリップの挿入の第４段階を示す。
【図２６ａ】照明のためのトレイ試作品における図２４にあるようなチャネルの上面図を示す。
【図２６ｂ】照明のためのトレイ試作品における図２４にあるようなチャネルの側面図を示す。
【図２６ｃ】電源を入れたストリップでの照明のためのトレイ試作品における図２４にあるようなチャネルの上面図を示す。
【図２７】ライトパイプを有するトリプルトレイの図式を示す。
【図２８ａ】図２７のライトパイプトリプルトレイの構成を示す。
【図２８ｂ】ＬＥＤ光源と、バッテリーと、起動回路と、連結と、を含むライトパイプの起動モジュールを示す。
【図２９】実施形態の断面図である。図２９は、図３０ｂのライトパイプトリプルトレイの連結機構を示す。
【図３０ａ】光が抜けることを可能にする小切欠き及び大切欠きを有するライトパイプと、ライトパイプがフルアーチトレイにどのように構成されるかと、を示す。
【図３０ｂ】どのようにライトパイプがトリプル及びフルアーチトレイのための光エンジン形態においてＬＥＤアレイから光を取り込むように構成されるかを示す。
【図３０ｃ】１つのライトパイプを有するフルアーチトレイのための代替構成を示す。
【図３１】図３０ｂ及び図３２ｃに示すようなライトパイプトレイに使用されるＬＥＤ光エンジンの一例を図解する。
【図３２】トリプルトレイ及びフルアーチトレイで使用されるチップオンボード（ＣＯＢ）ＰＣＢを示す。
【図３３】事前埋設フルアーチトレイの考えられる１つの構成及び外すことができるリッドストックの適用を示す実施形態の上部斜視図である。
【図３４】残留物を最小にするため、１８０°で、リッドストックを剥がす概念を図解する事前埋設トレイを示す実施形態の側面図である。
【図３５】図３４における概念の実用モデルを示す。
【図３６】フルアーチ及びトリプルトレイ用のＣＯＢ／ＰＣＢ照明トレイと、バッテリー源及び起動回路を有する電位起動モジュールと、を図解する実施形態の上部斜視図である。
【図３７】実施形態の上部斜視図である。図３７は、図３６のトリプルトレイの別の実施形態を示す。
【図３８】実施形態の上部斜視図である。ＣＯＢ／ＰＣＢ光トレイのための、小さく軽量な遠隔電源の図解を示す。当該電源は、患者のエプロン、エプロンチェーン、又は安全眼鏡にクリップ止めされるか、又は手持ちとする。
【図３９】実施形態の上部斜視図である。図３９は、印象品質に影響を及ぼすことがある口における重さを減少させつつ、最適な導光のため、遠隔電源、光エンジン、及びトレイに隣接したヒートシンクを有するライトパイプ照明トレイの図解を示す。
【図４０】実施形態の側面図である。図４０は、光を抜けさせることを可能とする側壁の上縁及び下縁にある歯列及び選択的に透き通った領域に向けて光を反射させ、トレイのヘリから溢れた材料を硬化させる、外側に反射コーティングを有するトリプルトレイライトパイプ照明トレイの図式を示す。
【図４１】フルアーチ印象トレイの斜視図である。
【図４２】コネクタ部分を明示するフルアーチ印象トレイの別の斜視図である。
【図４３】使い捨てフルアーチトレイの一実施形態の分解図である。
【図４４】充電ステーションに接続されたかどうか、フルトレイに接続されたかどうか、又はトリプルトレイに接続されたかどうかを決定するため、トレイ接点との接点及び考えられる電気接続を示す光エンジンのコネクタ部分の概略図式である。
【図４５】光エンジンの一実施形態の分解図である。
【図４６】光エンジンの一実施形態の一斜視図である。
【図４７】光エンジンの一実施形態の別の斜視図である。
【図４８】トリプルトレイの一実施形態を描写する。
【図４９】機械的固定穴と組み合わせられる、印象材が事前埋設された、シングルアーチトレイの断面を描写する。
【発明を実施するための形態】
【００２９】
次に、同じ参照符号が複数の図にわたり同じ要素を示す図面を記述によって参照すると、図は、導光、印象トレイ、起動モジュール、及び印象材を図解する。いくつかの場合、明確さのため、事前埋設トレイの図解に印象材は不図示である。
【００３０】
図１〜図１３は、本開示の実施形態に係る、再利用可能なＬＥＤトレイ８の様々な部品を図解する図式である。事前埋設印象トレイインサート１（印象材不図示）は、再利用可能なＬＥＤトレイ８の上面に座し、充電式起動モジュール２は、トレイ８に接続され、トレイ８に電力を供給する。実施形態は、印象トレイ８に埋め込まれる（図４に示すような）発光ダイオード（ＬＥＤ）６を備え、光硬化型歯科印象材（不図示）を硬化させる。トレイは、オープンバイトトレイ８（別名、シングルアーチトレイ）であっても、クローズドバイトトレイ８ａ、図６（別名、ダブルアーチトレイ又はトリプルトレイ）であってもよい。ＬＥＤ６は、所望の印象トレイのような形状であるプラスチックハウジング４、５に密閉される。ＬＥＤ６及び回路配線（不図示）は、高温に耐えることができる。密閉されると、回路は、湿気から保護され、そのため、トレイ８は、患者間で滅菌することができる。
【００３１】
ＬＥＤ６から発せられる光２８の波長は、４５０〜４９０ｎｍの可視青色光の範囲であってもよく、光重合開始剤カンファーキノン（ＣＱ）に合わせるために４６５ｎｍであってもよい。しかし、デバイスは、異なる波長、例えば、３８０〜７００ｎｍで他の光重合開始剤で材料を硬化させる実用性を有する。
【００３２】
ＬＥＤ６は、ＬＥＤ回路（不図示）が歯科印象用トレイ（図２）の形状に倣った形態に曲げられることを可能にするフレキシブルプリント回路ボード（ＰＣＢ）３に据えられ得る。ＬＥＤの大半は、歯の周囲の歯科印象材を硬化させるため、歯列弓に向けて方向付けられる。いくつかのＬＥＤは、溢れたものがトレイの外側に蓄積することがあるトレイの境界、トレイの外側表面、及び口の軟口蓋領域から常に溢れる印象材１１８、１２２、１２４（図１５）を硬化させるために、ＬＥＤ印象トレイ８の外縁に向けて光２８ｂ（図２２）が発せられるように方向付けられ得る。例えば、図４ａに示すように、歯に向けて方向付けられたＬＥＤ６は、上面出射ＬＥＤであり得、トレイの外側に方向付けられたＬＥＤは、底面出射ＬＥＤであり得、トレイの垂直縁の縁に方向付けられたＬＥＤは、側面出射ＬＥＤであり得る。
【００３３】
別の実施形態によれば、デバイス８は、ＤＣ電流を用いた充電式バッテリー（図１、起動モジュール２）により動かされ得る。代替実施形態において、バッテリーは、硬化シーケンスと、ＬＥＤ（又は他の硬化光源）及びバッテリーが起動する準備ができているか否かを検出する回路検出プログラム（すなわち、ゴー／ノーゴー回路）で予めプログラミングされるプログラミング可能な集積回路チップをも含む、ＰＣＢに取り付けられ得る。ＰＣＢは、起動ボタン１４、及び回路及びバッテリーの状態に基づき、ゴー／ノーゴーを表示するＬＥＤ光６５を含有してもよい。バッテリー及びＰＣＢは、ＬＥＤ硬化トレイ８に接続することができる起動モジュール２を備える。起動モジュール２は、取り外され得、電子装置に有害であろう滅菌を受けなくてもよいように、表面がトレイ８から切り離されて消毒される。起動モジュール２は、ＬＥＤ６の数などに応じて、特定のトレイと対となってもよく、単一の起動モジュールは、接続されるトレイの種類を自動で検出し、求めに応じて正しい充電シーケンスを伝達するようにプログラミングすることができる。
【００３４】
あるいは、起動モジュール２（複数可）は、モジュールが完全に充電され、すぐに使用できる状態を保つ、モジュールのための保管場所としても機能する卓上用充電ステーション（不図示）で充電することができる。充電ステーションには、冷却機能（不図示）が存在し得、起動／照明モジュールを冷却することができるファンなどの任意の適切な冷却機構を含むことができる。一実施形態において、ファンは、付属の光エンジンに空気を吹き付けるように配置され、充電ステーションに挿入され得る。ＬＥＤトレイ８は、トレイと電力ユニット（不図示）とを接続する電力コードを有する卓上電力ユニットにより動かされ得る。図３のオープンバイトトレイ８の形態は、透き通った密閉トレイに埋め込まれたＬＥＤ６を有する、上部、下部、万能型上部／下部、１／４、又は前方のトレイいずれであっても同様であり得る。当該ＬＥＤ６は、フレキシブルＰＣＢ又は他の適切な基板に据えることができる。図３８〜図３９は、光トレイのための小さく軽量な遠隔電源を示す。当該電源は、患者のエプロン５９、安全眼鏡６０、又はエプロンチェーン６１にクリップ止めされてもよく、単に手持ち６２としてもよい。
【００３５】
別の代替実施形態において、個別のＬＥＤ６チップは、ＣＯＢとして知られる形態で据えることもでき、ＣＯＢ基板は、フレキシブルＰＣＢと同様のトレイ状形態（図３２）に形成され、プラスチックで密閉することができる。
【００３６】
ＣＯＢ技術を使用して構築される発光トレイは、例えば、アルミニウム基板２６（図１１ａ）に配置される個別のＬＥＤ半導体ダイを有し得、基板は、印象トレイの形に曲げられ（図１１ｂ）、形成されるＬＥＤ基板２６は、さらに、プラスチックで被包され１０ａ、１０ｂ（図１１ｃ）、本明細書で述べたようなＬＥＤ印象トレイが形成される。あるいは、ＣＯＢ技術を使用して構築される発光トレイは、例えば、アルミニウム基板に配置される個別のＬＥＤ半導体ダイを有し得、ここで、平面ＰＣＢ基板は、ボードを異なる大きさのトレイ（不図示）を収容する小さな又は大きなアーチの形態に曲げることを可能にする切欠きを有する。例えば、大抵の患者に適合する中くらいの大きさのフルアーチＣＯＢ／ＰＣＢは、より小さいトレイに適合するよう圧縮することができ、より大きなトレイに適合するよう膨張させることができる。これは、３つの異なる大きさに対して、必要なのは、１つのサイズのＣＯＢ／ＰＣＢのみを製造することであるため、コストが削減されるであろう。ＣＯＢ／ＰＣＢは、フレキシブルＰＣＢ基板であってもよい。
【００３７】
クローズドバイト後方又は１／４トレイ８ａは、本開示の別の実施形態に係る後臼歯ブリッジ９（図６、組み合わせ）により連結される頬側垂直壁１１及び垂直舌側壁１２を有し得る。ブリッジ９は、患者が完全に咬合してクローズドバイトすることを可能にするのに十分な厚さがあり、さらに、トレイの舌側区画１２を支持するのに十分な強度があろう。ＬＥＤトレイは、強度のため、内部金属フレームを有する（図５、下部画像）。フレームは、共に溶接され、頬側シート金属フレームと、後臼歯ブリッジに剛性を提供する金属管９ｂ、及び舌側シート金属フレームからなる。頬側及び舌側フレームは、ぞれぞれ、ＬＥＤを有するフレキシブルＰＣＢ３ａを支持する。２つのフレキシブルＰＣＢは、金属管９ｂを通過するワイヤ線により電気的に接続される。フレーム及びＰＣＢサブアセンブリは、透き通ったプラスチックで密閉され得る。クローズドバイトトレイは、同様に起動モジュール２と共に使用するために構成される。
【００３８】
さらに、クローズドバイトＬＥＤトレイ８ａは、光硬化印象材を含有する、事前埋設クローズドバイトトレイインサート１ａをそこに摺動させるための手段を有し得る（図６、印象材不図示）。クローズドバイトトレイインサート１ａは、布メッシュ中間層１３を有し得、アーチの上面及び底面にある印象材で満たされ得る。断面において、事前埋設トレイインサート１ａは、水平部分が布メッシュであり、垂直脚が事前埋設インサートの頬側及び舌側壁である、Ｈ形状であろう。実施形態において、厚く透明な咬合メッシュは、歯間咬合領域における光の進入を増加させるために中間層として、又は布メッシュ中間層１３に加えて、使用され得る。当該機能は、対向する歯の咬合表面間での印象材の硬化の助けとなり得る。半透明メッシュは、人気のある市販のデュアルアーチトレイで利用可能な従来の咬合メッシュよりもより厚く作られ得、例えば、より厚い半透明メッシュは、０．３ｍｍ〜２．５ｍｍ又は０．４ｍｍ〜２ｍｍの厚さを有し得る。この厚さは、対向する歯の間で光が伝わることの一助となり、そのため、達するのが難しい領域における光の密度を増加させ、適した硬化を保証し得る。歯の構造内への導光が少なくなり得、オペーク修復（金属、オペークセラミックなど）の場合、光は単に遮断されるため、密接咬合接触、例えば、密接な咬頭嵌合は、対向する歯間の光の密度を著しく減少させ得る。インサート１ａも、頬側及び舌側側壁を接続し、支持するプラスチック後臼歯ブリッジ１３ａを有するであろう。トレイインサート１ａの後臼歯ブリッジは、完全咬合と干渉しない薄い外形を維持するために、ＬＥＤトレイの後臼歯ブリッジに倣うような形状であろう。クローズドバイトトレイインサートは、光保護パッケージでパッケージングされ得、印象材に突き刺さらない剥がすことが可能な保護カバーを有し得る。
【００３９】
また、再利用可能なトレイインサート１ａは、トレイ接着の必要性をなくす、穴、ダブテールスロット、又はＴスロットなどの機械的固定機能１００を有し得る。使い捨てフルアーチ（オープンバイト）トレイには、印象トレイプレートの底に保持力の高い層を作製するため、固定穴が作製される。２つの層は、例えば超音波を使用して、共に組み合わせられ、印象がトレイの外壁によりトレイの寸法に含まれるため、このアセンブリを有するトレイの外部に材料１１０」のこぼれはない（図４９）。
【００４０】
ＬＥＤトレイ（不図示）は、シリコーンゴムなどのセミフレキシブル材料及び剛性トレイインサートから構築され得る。ＬＥＤトレイの可撓性は、剛性トレイインサートへの組み込み及び適合の助けとなるし、そのため、ＬＥＤトレイは、さもなければ適合し得なかったアンダーカットを有する剛性トレイに挿入することができる。
【００４１】
当業者であれば、印象材トレイ全体が、図４２で示すように使い捨てであり得、その結果、トレイインサート１ａは、一体として取り付けられ、全体として使い捨てトレイの一部であることを理解するであろう。実施形態において、図４１及び図４２のトレイ２００は、光源に接続されるコネクタ部分１０６を含む。単一の使い捨てトレイを、図４１及び図４２に示す。この実施形態の使い捨てトレイは、歯科医により、事前埋設又は使用の直前に埋設され得る。機械的固定機能１００は、印象材がトレイにあり、埋設トレイが患者の口に置かれたとき、印象材が機械的固定機能を通り流れ、機能１００の両側に印象材があるように置かれる。印象材が硬化されると、これら機械的固定機能１００は、患者の歯列への吸着に対して、硬化した印象材をトレイに留める助けとなるであろう。
【００４２】
図４３は、一体として構築されたフルアーチ印象材トレイ２００の分解図を示す。フルアーチトレイとしてトレイ２００を示し、記載するが、当業者であれば、トリプルトレイに対し同様及び対応する構成が可能であることを理解するであろう。しかし、トリプルトレイでは、ライトパイプ３０は、コネクタ部分１０６での端を１つのみ有する。
【００４３】
図４３では、使い捨てトレイがどのように構築され得るかが明らかである。この実施形態において、ライトパイプ３０は、トレイにおける照明器又は発光器として使用され、トレイの上部分２００ａと下部分２００ｂの間に介在する。下部分２００ｂは、照明器又はライトパイプ３０が設置される窪み３００を有する。当業者が理解しているように、この窪み３００は、特定の設計において、照明器又は発光器を支持する任意の形状又は幾可学的形状をすることができる。上部分２００ａは、トレイ内に硬化した印象材を保持する助けとなる機械的固定機能１００を含む。トレイ２００の上部分２００ａ及び下部分２００ｂは、２つの部分が切り離されない限り、任意の適切な方法で、一体として互いに接続され得る。接続されたときのこれら２つの部分は、照明器のみならずコネクタ部分１０６をも支持する。コネクタ部分は、カプラコア１０３の各側にピン４１４ｂを含む。照明器、この実施形態におけるライトパイプ３０がトレイに加えられる印象材を硬化することができるように、このカプラコア１０３は、光源に接続することができる。Ｏリング等のリテーニングリング１０８は、コネクタ部分１０６、照明器又はライトパイプ３０、上部分２００ａ、及び下部分２００ｂをその場に留め置く助けとなる。カプラコア１０３は、ライトパイプ３０などの照明器の幾可学的形状に対応する少なくとも１つの凹部３０ａを含む。
【００４４】
本開示のまた別の実施形態によれば、使い捨てトレイは、照明用の、外すことができ、充電式のバッテリーモジュールを有する。トレイは、光硬化型印象材１１０を事前に充填され得る。当該トレイは、光の分散及び硬化の効率を最適にするような手段で配置される表面マウントＬＥＤ、ＣＯＢＬＥＤ（又は他の硬化光源）のいずれかを有するであろう。起動モジュール２は、再利用可能なＬＥＤトレイ１から切り離され得、その結果、電子装置は、ＬＥＤトレイ１から外される又は取り外され、消毒することができ、それにより、電子機器は、ＬＥＤトレイの蒸気滅菌の過酷な影響を受けずに済む。
【００４５】
また別の実施形態において、光トレイ８ｂは、光の分散のためにトレイに埋め込まれたプラスチック成形のライトパイプ３０を有する。光源もしくは光エンジン又はバッテリーは、トレイ８ｂの外部にあり得、直接接続又は光ファイバーライトテザー（不図示）を通してライトパイプトレイに接続され得る。他の実施形態において、光源は、トレイのコネクタ部分１０６を介してトレイに直接接続され得る。あるいは、歯列弓の周囲の光を分散させるためトレイに埋め込まれたライトパイプ３０を有するプラスチック印象トレイが、実現され得る。当該トレイは、光を歯列に向けて導き、光の分散を改善するリフレクタ３１を使用し得る。反射材料は、スパッタリング、真空蒸着、インモールドラベリング、ペイント、オーバーモールド、又はミラー状のコーティングを作製する当業者に既知の他のコーティング法により作られる金属ミラーコーティングで作ることができよう。当該リフレクタは、ミラー表面でなくともよく、任意の光反射又は分散コーティングとすることができる。ライトパイプ３０は、成形プラスチック部品又はフレキシブル光ファイバーケーブルとすることができよう。これは、トレイの内外への光の自由な伝送を可能にし、トレイのヘリから溢れる溢れた材料の硬化を可能にするクリアハウジング３３を有し得る。ライトパイプ３０により運ばれ伝送される全光を最大にするために、ライトパイプ３０の断面は、寸法がＬＥＤ出射面の表面と密接に一致するように作られ、ライトパイプに入る光の量を最大にする。例えば、ＣＲＥＥ１９５０ｐ  ＬＥＤの方形出射面は、凡そ２×２ｍｍであり、それに伴い、ライトパイプは凡そ２×２ｍｍの断面を有し得る。対して、ＬＥＤが方形表面領域を有するとき、直径２ｍｍの円柱形ライトパイプを使用すると、２×２ｍｍ出射面のＬＥＤの光の一部は、図３０ｂに示すように、単純にはライトパイプに入らない。反射ペイントは、トレイに戻るなど光の方向を変えるためハウジングの外で使用され得る。反射コーティングのある空間又はトレイの未コーティングの外の部分は光が選択的に抜けることを可能にし、トレイの外部で生じる溢れた材料を硬化させることができる。
【００４６】
トレイのペイントが複数の工程がある複雑な手順であることがあるため、別の異なる実施形態においては、トレイの上に反射性「スナップオン」が工夫される。このオーバートレイは、所望の外形の反射コーティングを有し、透き通った透明トレイにしっかりと取り付けることができる。酸化チタンなど高含有率の反射性粒子を有するプラスチックでの射出成形部がこのオーバートレイを成すことができよう。透き通ったトレイを覆う反射コーティングは、一部の光を、反射領域を通過させ、トレイの外部に移動し得る一部の材料を硬化させることを可能にすることを目指し、半透明、場合によっては光学的に半透過性に作ることができる。この効果を実現する別の方法は、トレイを作るための射出成形処理の間、反射層をオーバーモールドすることであろう。
【００４７】
光源は、トレイの外部に、例えば、バッテリー４０９、ドライバＰＣＢ４０６、ヒートシンク４０４、及び光エンジン／カプラ３５を備える充電式モジュール２ａの一部であり得る。光エンジン３５は、ＬＥＤアレイ３４と、６ｂ、ガラス窓４０と、光をトレイのプラスチックライトパイプ３０に伝送するためのガラスライトパイプ４２とを備え得る。ユーザーは、充電式／起動モジュール２ａを消毒、再充電、再利用することができる。モジュールも、起動の間、例えば（２−１０Ｗ）を送ることができるリチウムバッテリーを有し得る。さらに、バッテリー又は電源、及び起動回路は、トレイから外され得、小さな手持ちユニットに離して位置し得る。当業者であれば、ＬＥＤトレイの有利な特徴が、ライトパイプトレイ８ｂの設計にも搭載することができること及びトレイ８ｂがその適用において明細書で記載する又は図面に図解する部品の構成又は配置に限定されないことを理解するであろう。
【００４８】
光エンジンのある特定の実施形態において、光源及びバッテリーは、図４５〜図４７に示すように１つのハウジングに設置される。
【００４９】
光エンジン４００ハウジングは、第１部分４０１及び第２部分４１３を含む。
【００５０】
このハウジングは、バッテリー４０９及び光源４０２の両方を収容する。
【００５１】
図４５に描写する光源は、ＬＥＤプリント回路ボードであるが、この形態において、任意の適切な光源に置き換えることもできる。
【００５２】
この光源４０２は、ＬＥＤボード熱伝達テープ４０３に取り付けることができる。
【００５３】
当業者が理解しているであろうように、光源４０２は、過熱を防ぐためヒートシンク４０４の近くになければならない。
【００５４】
実施形態において、ヒートシンクは、ワックスなどの相変化材料である。任意の適切な相変化材料のヒートシンクを使用することができる。
【００５５】
ヒートシンク４０４は、少なくとも１つのねじ４１５により取り付けられる熱伝達パッド４０５を含む。
【００５６】
図４６から明らかであるように、光エンジン４００は、メインプリント回路ボード４０６と、メインプリント回路ボードスペーサパッド４０７と、バッテリーパッド４０８と、バッテリー４０９と、バッテリーマウント４１０と、ボタンＰＣＢ４１１と、電子ピン４１４ａと、光エンジンボタン４１２と、をさらに含む。実施形態において、ライトパイプ３０は、フルアーチトレイ２００などトレイ全体にわたって置かれ、その結果、単一のライトパイプ３０は、コネクタ部分１０６で見ることができる２つの端１０７を有する。異なる実施形態において、ライトパイプ３０は、コネクタ部分１０６で明らかとなる１つの端１０７のみを有する。
【００５７】
この実施形態は、トリプルトレイ５００形態などの印象材トレイにおいて最も有用であり得る。
【００５８】
コネクタ部分１０６にあるライトパイプの端１０７の異なる数は、コネクタ部分１０６にあるピン４１４ｂの組の数に対応する。
【００５９】
例えば、シングルアーチトレイ２００は、総じて４つのピン４１４ｂを有し得るが、トリプルトレイ５００は２つのピン４１４ｂを有し得る。このピンは、光エンジン４００で見られるピン４１４ａと一致、又は位置合わせされる。
【００６０】
当業者であれば、図解として本明細書で述べるピンの数と、任意の適切なピンの数が存在し得ることを理解するであろう。
【００６１】
図４４は、光エンジン４００にあるピン４１４ａと、トリプルトレイ５００又はフルアーチトレイ２００のうちいずれかの印象トレイにあるピンとの間の接触により、ライトパイプ３０で照射するように正しい数のＬＥＤが点灯する一実施形態を明示する。
【００６２】
図４４は、具体的には、光エンジンの接触部分４２０が示される一実施形態を示している。
【００６３】
この実施形態において、光エンジン４００は、充電式バッテリーを含む。また、図４４にある光エンジンのピンは、第１ＳＶ、第２ＳＶ、Ａ、Ｂ、第１ＧＮＤ、及び第２ＧＮＤと称する。光エンジンが充電ステーションにあるとき、光エンジンの第１ＳＶピンは、充電台にあるＳＶリードと位置合わせされ、光エンジンの第１ＧＮＤピンは、充電台のＧＮＤリードと位置合わせされる。この位置合わせは、光エンジンにあるバッテリーの充電を可能にする。光エンジンの方向が１８０度回転すると、光エンジンの第２ＳＶピンは、充電台のＳＶリードと位置合わせされ、光エンジンにある第２ＧＮＤピンは、充電台にあるＧＮＤリードと位置合わせされ、同様にバッテリー充電を可能にする。図４４に示す独特な配置は、光エンジンを２つの方向で取り付け可能とし、また、正しく接続させることを可能にし、その結果ユーザーは、適した機能のための特定の位置合わせを保証しなくてもよい。
【００６４】
トレイにある接点は、光エンジンにある接点と、電気的に連続して接続する。トリプルトレイ５００が光エンジン４００に接続されると、その後、トレイ接点は、光エンジンの、ＳＶ及びＡピン又はＳＶ及びＢピンのいずれかに接続する。ＳＶ／Ａ接続が作られると、第１ＬＥＤは、トリプルトレイにおいてライトパイプに正しく方向付けられ照明する。光エンジンが１８０度回転すると、ＳＶ／Ｂ接続がなされ、次に新たな方位でライトパイプに正しく方向付けられる第２ＬＥＤが照明する。それにより光エンジン４００は、ライトパイプ３０を照明するためにＬＥＤが起動されるべきであることを認識する。
【００６５】
同様に、フルアーチ印象トレイ２００が光エンジン４００に接続されると、その後、光エンジンの第１ＳＶピンは、光エンジンのＡピンに接続され、光エンジンの第２ＳＶピンは、光エンジンのＢピンに接続される。この形態において、光エンジンは、フルアーチトレイが接続されること、及び両方のＬＥＤが照明すべきであることを知る。接続が１８０度回転すると、同じ接続がピンの独特な形態によりなされる。再度、光エンジン４００は、ライトパイプ３０を適切に照らすために両ＬＥＤが起動すべきであることを認識することができる。光エンジン４００と接触するピン４１４ａの数及び位置に基づき、光エンジン４００は、どのように必要なＬＥＤを適切に起動させるか、又はバッテリーを充電するかを決定することができる。
【００６６】
ライトパイプの断面形状がＬＥＤの幾可学的形状に対応していても、等しくてもよいことに留意すべきである。このことにより、印象トレイに伝送される光の効率を改善することができる。
【００６７】
図３０ａを参照すると、ライトパイプは、正確な場所で光を放出する、異なる大きさの切欠き４３、４４を有し得、例えば、パイプ内の光の密度が高いという光の抽出を最小にするための光源に近い小さな切欠きと、パイプ内の光の密度をより低くするという光の抽出を最大にする光源からさらに離れるより大きな切欠きであり、そのため、印象トレイ全体にわたって光の分散が均一になる。光の方向を制御し、達するのが困難な領域で印象材を硬化させることができるため、これは利点である。あるいは、ペイント又は反射コーティングを、ライトパイプの表面に使用し、ライトパイプから光が出ることを制御してもよい。
【００６８】
別の実施形態において、使い捨て光トレイシステムを開示する。当該システムにおいて、トレイインサートの必要はない。光源トレイは、製造量が多く、経済的で、コストを低くすることができ、別の患者で使用するためにトレイを再処理するよりもトレイを処分する方が経済的であろう。光源トレイは、光硬化印象材で事前に充填され、保護フィルムで覆われ、遮光パッケージで梱包され得る。
【００６９】
本明細書に記載の実施形態は、層状の低粘稠度部１６及び高粘稠度部１７を有する事前埋設トレイインサート１ｂである（図７及び図８に示すように、均一な暑さの水平層又は低粘稠度部１６が充填された高粘稠度部１７のトラフ形状の層）。この実施形態において、歯科医又は衛生士などのユーザーは、洗浄材料が高粘稠度部を有するトレイに事前に充填されるため、準備した歯に当該洗浄材料を塗布しなくてもよく、貴重な工程が省かれる。例えば、当該印象は、仮（一時的な）歯冠の初めの印象に適切とすることができよう。あるいは、透き通ったパテ粘性印象材１８の後方ヘリを有する事前埋設印象トレイは、後臼歯、口の舌側前庭、又は軟口蓋領域への高粘稠度トレイ材料１９の溢れを減少させるであろう（図９に示す）。
【００７０】
当業者であれば、理解するであろうが、高粘稠度及び低粘稠度印象材の違いは、熟練した衛生士及び歯科医にとって周知である。具体的には、ＩＳＯ４８２３の仕様では、パテ（タイプ０）、高（タイプ１）、中（タイプ２）、及び低（タイプ３）が一貫して詳述される。本明細書で使用する場合、パテ及び高粘稠度は、一貫して４０未満であり得、低は、一貫して３０超であり得る。
【００７１】
ＬＥＤ硬化トレイは、再利用可能なトレイの内面２２に、必要に応じて、ＬＥＤ６からの光の焦点を合わせる又は分散させ、印象及び口腔の特定の領域への十分な強度を効率的に提供するレンズ２０を有する（図１０に示す）。分散レンズ２３は、光の出射角により、通常必要とされるであろうよりもＬＥＤをさらに離間させることを可能にする。フォーカスレンズ２４は、より深部の領域、例えば光が分散しＬＥＤ６からの十分な光を受けないであろう溢れる領域において、ＬＥＤ６が硬化させることを可能にする。
【００７２】
別の実施形態によれば、硬化トレイは、トレイの様々な部位でＬＥＤ６の稼働群に必要な全電流を減少させるシーケンスで、ＬＥＤ６（又は他の硬化光源）が照明するプログラミング回路を有する。例えば、Ｄｅｎｔｓｐｌｙ  Ｃａｕｌｋ  ＧｅｎｅｓｉｓＴＭ  Ｃｌｉｎｉｃａｌ  Ｔｅｃｈｎｉｑｕｅ  Ｇｕｉｄｅに記載されるように、トレイの後方ヘリは、まず軟口蓋への溢れを減少するように硬化させることができ、その後、咬合表面が硬化され、トレイを完全に固定させ、その後口蓋領域、その後頬側表面と続き、それにより、起動モジュール２のバッテリーへの電流需要を減少させることができよう。あるいは、トレイは、ＬＥＤに異なる時間間隔及び強度で照明させ、トレイにある様々な厚みの材料を硬化し、熱の発生を減少させ得る。
【００７３】
万能型上面及び底面アーチＬＥＤトレイ及びトレイインサートは、下部トレイ及び舌側前方壁が、上部アーチ（不図示）で使用されると、上部口蓋をクリアにするために、歯から離れる角度を有するように上部印象トレイの上部口蓋が外されるよう製造され得る。
【００７４】
また別の実施形態において、デバイスは、温度センサー（不図示）を含有し得、その結果、照明時間及び／又は強度を調整し、口腔内の温度を低下させ、歯への熱による損傷を防止することができる。
【００７５】
別の実施形態によれば、デバイスは、硬化効率を改善するため、及び一部の歯科材料の表面に形成することがある例えば酸素阻害層を減少させるため、複数の光重合開始剤で材料を硬化させるための２つ以上のピーク波長を有し、例えば、１つの種類は、３５０〜４１０ｎｍの波長を有するＬＥＤ１（又は他の硬化光源）であり、別の種類は、４５０〜４９０ｎｍの波長を有するＬＥＤ（又は他の硬化光源）である。ＬＥＤ硬化トレイは、２００〜７００ｎｍの範囲の波長を有する様々なＬＥＤを有し得る。
【００７６】
さらに、ＬＥＤの動力分散及び位置は、より大きな強度を印象の厚い領域１１８、１２２、１２４に、より低い強度を印象の薄い領域に提供するように変わり得る。
【００７７】
また、トレイは、インプラント歯周炎及び歯周病の処置のために構成され得る。歯周病処置の間、プラークは、スケーリング及びルートプレーニングにより機械的に外される。通常、抗生物質は、歯周病の処置を受けた部位に投与される。しかし、抗生物質に対する耐性と薬物の副作用の発現は一般的なものである。光活性化抗菌療法は任意である。処置部位に最初に光増感液が塗布される。典型的な光増感剤は、メチレンブルーと他の染料、及び酸化チタンなどの光活性ナノ粒子である。光増感剤は、光によって活性化され、微生物に対して非常に有毒であることが知られている一重項酸素及び他の活性酸素種を放出する。光活性化は、６５０〜５５０ｎｍの領域の光スペクトルで出射し、病原性微生物を殺し得るＬＥＤ（又は他の硬化光源）を装備した再利用可能なトレイを挿入することで実現し得る。
【００７８】
さらにトレイは、骨及び軟部組織の生体刺激並びに骨壊死の可能性のある反転のために、３５０〜７００ｎｍの波長領域で光を送るように構成され得る。
【００７９】
別の例示的実施形態によれば、装置は、既製の歯科矯正ワイヤ及びブラケットアセンブリを歯に置き、接着するように構成される。特に、舌側ブラケットは、位置決め及び接着が特に難しい。光硬化印象材は、既成の歯科矯正ワイヤ及びブラケットアセンブリの製造中に、歯科医院で位置決めマトリックスを構築するために使用される。矯正治療医は、硬化位置決めマトリックスを使用して、歯にワイヤ及びブラケットアセンブリを置き、精密に位置決めされたブラケットを接着するために、光硬化トレイ及びマトリックスを再度作動させブラケットセメントを光硬化する。
【００８０】
光硬化性接着剤は、歯科矯正器具を患者の歯のエナメル質表面に接着するための間接接着手順でよく使用される。間接接着技術に光硬化性接着剤が必要な場合、光硬化性接着剤の光への暴露及びそれに続く固化を促進するために、光を伝送する材料でボンディングトレイを製造するのが一般的な実践的方法である。しかし、口腔外光源が使用される場合、口腔内にボンディングトレイが存在すると、施術者が光源を操作し、口腔の後方部位に設置される器具に向かう方向など、ある部位に設置される接着剤に向けて照準を合わせる能力を多少妨げる可能性がある。本明細書に記載する再利用可能なトレイを使用すると、必要で適切な位置合わせが容易に維持され、すべてのブラケットをその場で同時に硬化できるため、これは非常に簡単に実現できる。他の歯科矯正手順は、再発光可能な発光トレイでより有利に行われると容易に推測することができる。一例としては、舌側保持具の配置位置である。
【００８１】
さらに、色を変更することにより硬化が完了したことを表示する色を変更する光硬化印象材を含む光硬化印象システムを実現してもよい。溢れ領域など、トレイ境界の外側の領域は硬化を受けるのがより難しいため、これは特に有利である。これにより、施術者は、トレイを外す前に、すべての領域が硬化したことを確認できる。
【００８２】
代替実施形態において、印象をＵＶ光で自己消毒し、印象を安全に取り扱うことができる光硬化印象システムが得られる。トレイは、細菌やウイルスなどの微生物や他の病原体を殺す短波長（ＵＶ−Ｃ）範囲のＬＥＤ（又はその他の硬化光）を有し得る。特に、２５０〜２６０ｎｍの波長は、殺菌照射に効果的である。自己消毒は、硬化及び患者から外した後に開始できる。
【００８３】
別の実施形態によれば、歯科用照明トレイアセンブリは、光源の最適化された位置決めであって、光源は、歯列弓の内部及び外部に向けられ、歯列弓の外側に溢れる印象材５０の適切な硬化及び光源を超えて分散する印象材の総厚を最小化することを可能にし、それに伴い、必要なエネルギー及び患者の口で光源により発生する熱を減少させる。トレイ８は、充填可能な口蓋部位を有しない場合がある。口蓋部位は、通常、歯科補綴物の製造には必要ないため、口蓋部位を外すことにより、必要なエネルギーを節約し、材料の溢れを緩和できる。また、トレイ８は、フルアーチ、セグメント化、トリプルトレイ又は単一のユニットトレイの構成形態をとることができる。図２１及び図２２に示すように、トレイは、より深部の領域に達するためにトレイの壁で光を伝えることを有し得る。
【００８４】
実施形態において、放出された光を増幅することが望ましい。ライトパイプ形態アセンブリの場合、光伝達媒体、例えばライトパイプ又は光ファイバーの入口点で最高のエネルギー密度を得ることが望ましく、ライトパイプそれに伴い、光源の出射面の光の密度を増強できることが望ましい。これは、光学設計で実現するのが難しいことが知られている。各光源は最大電気定格で最大密度を持っているため、光の密度を高めるために光学的手段を使用することが望ましい場合がある。光の密度を高めるために、狭い波長スペクトル（３９０ｎｍ＋−２０ｎｍ及び４８０ｎｍ＋−２０ｎｍなど）の２つの光源を備えたビームスプリッターを使用し、ビームコンバイナーのような半反射ミラーを使用してこれらを結合できることが分かった。これにより、たとえば２×２ｍｍ  ＬＥＤの同じ断面に２つのＬＥＤ電源を追加することが可能である。このビームスプリッターコンバイナーは、４５度で配置することができ、これにより、例えば短波長を通過させ、表面にある長い波長を反射するか、コーティングに応じて逆に反射する。
【００８５】
ライトパイプに入る光の密度を上げる別の方法は、入口に２つのＬＥＤ（２×４ｍｍ）と出口に２×２ｍｍを含む長いテーパープリズム（不図示）を使用することであろう。
【００８６】
レーザー光源はおそらく、光の入射点での損失が少なく、最も効率的な光の結合である。ライトパイプをＬＥＤの出射面とほぼ直接接触するように配置すると（距離を最小化）、非常に高い結合効率が得られ、ライトパイプを、結合効率を最大化するために導かれた表面の表面から数百ミクロン以内に保つことが重要である。
【００８７】
この実施形態は、フルパワーで電源を入れる前に、ライトパイプ３０と光源との間の結合が良好であるかどうかを決定するためのモニタリングセンサー（不図示）を含み得る。すべての光はファイバーの入射点の直径を伝わるので、プラスチックライトパイプの燃焼もしくは溶解又は結合不良を避けるために、領域を正確に位置合わせし洗浄し得る。ライトパイプ３０の周りにエアギャップを含めると、ライトパイプ３０の内部に光を保持できる。プラスチック内で光を反射させることが可能な屈折率の差を与えるため、空気と共にプラスチックコアを使用するライトパイプを作ることが可能である。さらにまた、図３０に示すように、ライトパイプ３０の長さに沿ってトレイから光が出ることを可能にするため、ライトパイプの表面に機能を含め得る。ライトパイプのＬＥＤ光エンジンは、放熱を改善し、重量を減らすために、位相変化材料を備えたヒートシンク３７により冷却され得る。あるいは、ヒートシンクとしてトレイのプラスチックを使用して燃焼を防ぐために、壁をＬＥＤ６と熱的に連結してもよい。ゲルをＬＥＤ６とＬＥＤ６の周囲の壁の間に使用してもよい。
【００８８】
アセンブリは、アセンブリに取り付け可能なオーバートレイを有し得る。オーバートレイは、アセンブリとオーバートレイの固定を可能にする機械的ロックアタッチメント機能を有し得る。アセンブリは、印象材が事前埋設される取り付け可能なオーバートレイを有し得る。図８に示すように、事前埋設オーバートレイは、トレイの異なる設置位置に置かれる異なる粘性のアセンブリを有し得る。化学接着剤でコーティングしてもよい。印象材の早期硬化を防ぐため、オペークリッドストックで覆われ得る。リッドストックは、トレイの上側壁に接着され、非取り付け領域が外されトレイ材料を露出させることができるように構成された共出射成形カバーであってもよい（実施形態では、印象材は、事前埋設トレイの未硬化状態では非常に粘着性があり、リッドストックと印象材の間の分離剤の使用が望ましいことがある）。非極性潤滑剤は、リッドストックを印象材から簡単に取り外し可能に保つのに有用であることがわかった。印象材は通常極性があるため、他の極性分子と親和性があり、極性潤滑剤の場合、経時的に印象材容量内を移動し、潤滑剤の効果が低下するであろう。リッドストックと印象材の間に非極性潤滑剤を使用すると、少量の潤滑剤が存在する場合でも、印象材の他の層との良好な接着性を維持しながら、良好な分離手段が得られる。任意の適切な非極性潤滑剤を使用でき、適切な非極性潤滑剤の１つの例としては、ワセリンがある。実施形態において、非極性潤滑剤はまた、湿潤性（歯の表面印象材）を増加させ、印象材に化学的に接合され得る修復物が存在する印象材の接着を減少させるために使用され得る。
【００８９】
また別の実施形態において、アセンブリは、トレイが使用するための電気的及び光学的要件を満たしているかどうかを検証する電子モニタリングシステム（不図示）を備える。取り付けられたモニタリングシステムは、照明の測定のための光の変調を使用し得る。アセンブリは、独立したアセンブリによってさらに検証され、正しく機能するかどうかを決定し得る。モニタリングアセンブリには、トレイ上の他のＬＥＤからの光を測定するためのフォトセンサーとして１つ又は複数のＬＥＤ光源を有し得る。トレイは、照明の制御又はモニタリング目的のために、異なる区画に分割され得る。トレイは、駆動回路に取り付けられ、さまざまな電力でさまざまな光源を駆動するか、電流及び電圧の値をモニタリングし、トレイの使いやすさ及び／又はＬＥＤ温度をモニタリングするために許容範囲と比較する。回路はまた、トレイの使用可能性を有効又は無効にしたり、インピーダンス及び／又は接続の容量を測定することによりトレイが確実に取り付けられていることを検出し得る。モニタリングアセンブリは、トレイと照明エンジンの間の接続のチェック、照明エンジンが光硬化サイクルに適していないことの表示、バッテリーが適切に照らすには弱すぎるなど場合の表示など任意の適切な機能を有することができよう。バッテリーの充電状態は、トレイ材料を硬化させるのに十分なエネルギーがあることを確認するために、電子システムによって検証することもできる。この「準備」又は「適合」検出システムは、ＬＥＤ及び周囲の温度、バッテリー残量、物理的及び光学的接続の品質、ＬＥＤの性能、付属ライトパイプの性能を直接又は間接的に検証する。この検出システムは、システムが使用可能であれば、ユーザーへクリアに通信することができる。患者の口に置いたときにこのトレイシステムが機能することが重要である。不適切な／準備ができていないトレイアセンブリの位置は、望ましくない／不快／危険な状況になる可能性がある（例えば、口の中の未硬化印象材）。それに伴い、電子システムは、熱電対、電流計、電気抵抗、電圧計付き急速放電アセンブリ、使用回数をカウントする埋め込み型電子カウンターの１つまたはそれらの組み合わせを使用して、上記のパラメータを測定する。
【００９０】
また別の実施形態において、図１０に示すように、光源にリフレクタとディフューザを付けて、所望の設置位置及び強度で光を方向付け得る
【００９１】
ＬＥＤ６は、いくつかの側面出射及び／又は底面出射ＬＥＤを含み得る。例えば、図４に示すように、底面照明は、頬側又は舌側の解剖学的構造に向かって投影され、側面出射ＬＥＤは、前庭に向かって垂直に出射する。
【００９２】
別の実施形態おいて、このアセンブリは、異なる形状及び大きさのトレイに適合するようにいくつかの照明部分の取り付け又は取り外しを可能にするモジュール式であってもよい（不図示）。
【００９３】
さらに、印象の歪みを最小限に抑えるために、固定照明と変形可能な（軽量プラスチック）オーバートレイを一緒に取り付けることができ、印象５０がキャストされるまで、互いに取り外すことはできなくし、最小限のプラスチックで保護された使い捨てオーバートレイが固定照明トレイへの取り付けにより歪みを防ぐことを可能にする。
【００９４】
別の実施形態において、アセンブリは、光源間の距離（フレキシブル照明の場合）又は光源の劣化を検出し、必要に応じて調整を可能にする手段を有する動力モニタリング電子システム（不図示）を備え得る。
【００９５】
アセンブリ内の光源は、これら範囲３００〜５００、６００〜７００、又は７８０〜１０００ｎｍのうちの少なくとも１つを含み得る。（ＵＶに比べて）比較的良好に進入し、放出されるエネルギーが高く、青色で機能する光重合開始剤がよく知られており、簡単に入手できるため、青色光（４６５  ｎｍ）を使用し得る。３５０〜４１０ｎｍの範囲のＵＶ照明により、空気阻害層を減少させることを可能にし得る。アセンブリは、過熱を避け、それに応じて照明をオフにするよう警告するために、温度測定手段をさらに含んでもよい。ＬＥＤ６は温度に応じて消費量が異なるため、電流消費は温度の良好なモニターとなり得る。チップ内の熱電対又は他の温度計も、トレイ上又はトレイの近くに置かれ得る。
【００９６】
また別の実施形態において、トレイアセンブリは、歯の漂白のための漂白ゲルと共に使用されてもよい。また、反応性ゲルの抗菌目的にも使用できる（歯周処置用）。
【００９７】
別の実施形態において、フレキシブル格納式ＰＣＢストリップ２９が、図２３〜図２６に示すように使用され得る。ストリップは、トレイ８から脱着可能なＬＥＤ６の線形アレイである。このＬＥＤ６のアレイは、トレイ８の照明を可能にし、トレイ内のトンネル又はチャネルに挿入され得る。他の実施形態のように、トレイのすべての領域に光をもたらすために、リフレクタ及び光学チャネルが作製されてもよい。さらに、このトンネルは、口の汚染物質からＰＣＢを保護し、滅菌せずに再利用することを可能にする。トンネルに入る最初の部分はより多くの湾曲を経験するので、ストリップ２９は同じフレキシブル格納式ＰＣＢストリップの長さで異なる可撓性を持つが、終端部分はより硬くなり、挿入の摩擦に対抗するのに必要な力を提供する。この格納式ＰＣＢの可撓性は、ＰＣＢに取り付けられたニチノールなどの柔軟な素材を使用することで得られるであろう。格納式ＰＣＢの場合、熱出力を分散し、より良い消散のためにＰＣＢ全体に均等に分散させるために、ＬＥＤの数を増やすことが望ましいことがある。これにより、ＬＥＤの早期の劣化につながる可能性のあるＬＥＤの過度の加熱を防ぐ。また、この格納式ＰＣＢとトレイの壁の間のエアギャップによって作製されたこの分離を除去するために、チャネルの格納式ＰＣＢが適合する場所に光学的に透明な、熱結合剤を充填し得る。例えば、製造時にチャネルにグリセリンを事前に埋めることができよう。グリセリンの量は、グリセリンをこぼさずにこの格納式ＰＣＢの体積に収容するように計算され得る。このような格納式ＰＣＢを使用したアセンブリでは、ライトパイプと比較してこの格納式ＰＣＢの断面寸法が小さいため（ライトパイプの場合は凡そ２×２ｍｍ、格納式ＰＣＢの場合は凡そ１×１ｍｍの断面）、デュアルアーチトレイの後臼歯ブリッジの寸法を小さくすることが可能である。また、格納式ＰＣＢの厚さは、トリプルトレイの後臼歯の領域（約２〜４ｍｍ）に挿入するのに十分な薄さである場合がある。ＬＥＤ６が全て一列にあるため、使用に先立ち、適切な機能を確保するために正確に各ＬＥＤ６を分析することが容易であり得る。トレイに配置されている間、ＬＥＤはフォトセンサーによって検証及びカウントされてもよい。
【００９８】
また別の実施形態において、単回使用トレイ（又は再利用可能な発光トレイの場合のトレイインサート）の場合、光硬化型印象材５０を発光トレイに直接注ぐことにより、事前埋設トレイ１を実現することができる。次に、材料５０は、トレイからの材料の漏れ又は変位を防ぐために、外すことが可能なリッドストックで被包される。このアセンブリは、励起波長をブロックするコンテナに配置されて、長い貯蔵寿命を可能にする。事前埋設トレイには、トレイを充填する工程を除外し、硬化が困難な領域の過剰な溢れた材料を最小限に抑えるのに必要な材料５０を十分に使用できるという利点がある。また別の実施形態において、高粘稠度印象材の溢れを防ぐために、半透過性で、薄い半透明膜を製造中に高粘稠度部の上に置き得る。これにより、この膜又はメッシュ上の粘性の低い材料との良好な化学結合を維持しながら、高粘稠度部の封じ込めが可能なろう。あるいは、この膜を印象材に化学的に結合させることもできる。上述のこの半透過の膜はまた、高粘稠度部の力を洗浄材料に集中させて溝への進入を増加させる弾性材料で作られ得る（不図示）。光硬化型印象材は、材料の良好な制御を可能にし、未硬化の粘性の低い洗浄材料を超えるある圧力を作ることを可能にすることができる高い粘性（高粘稠度又はトレイ材料のようなパテ）からなり得る。アセンブリの被包は、埋設トレイにガラス充填剤と開始剤の混合物を吹き付けて、材料の上面層を硬化させることで実現し得る。この薄いクラストは、その後臨床医又は患者の歯によって破壊することができる。被包は、剥がすことができるプラスチックシートで構成されていてもよい。さらに、被包は、クラストを作製するために、ＵＶ光を所定の時間だけ使用して作成され得る。ＵＶ光は、樹脂内部への進入が低く、そのため、感度の低いタイミングで厚さをより細かく制御することが可能である。被包は、作成される酸素と阻害層を除去するためＵＶ又は青色光で硬化しつつ不活性ガスを使用して実現してもよい。ペーストが空気に晒されるトレイの端では、薄い酸素阻害層が形成され得る。しかし、材料の硬化速度が速いと、表面に形成される可能性のある酸素阻害層が最小限に抑えられるであろう。
【００９９】
さらに、本体（高粘度）材料１７は、酸化チタンのような反射性粒子を有し得る。反射性粒子は光の進入を減少させるが、光の散乱により印象材内部の光の分散を増加させる。それに伴い、粒子は光の拡散を可能にし、歯科解剖学的構造のアンダーカットで材料を硬化させる。
【０１００】
別の実施形態において、光硬化型洗浄材料は、血液及び唾液の存在下でさえも、歯科準備縁の近く又は歯周溝に置くことができる。２５０〜７００ミクロンの内径針を使用して、溝内に正確に洗浄材料を送ることができる。材料は、溝内の配置の直後で、組織が回復して空間を閉じる前に迅速に硬化し得る。洗浄材料は、透明又は半透明であり、歯肉溝内及び修復される歯の縁上の塗布中に材料を通し組織の直接的な視覚的観察を可能にする。
【０１０１】
洗浄を終えてボディ材料と発光トレイの配置の前に、（独立した光源、例えば通常の硬化光を使用して）洗浄材料は硬化されてもよい。酸素阻害層により後続の層との結合を作成できるため、材料の増分配置が可能である。この事前硬化法は、低粘度部が高粘稠度材料によって移動し、光硬化光が届きにくい領域に向かって押し出されるため、溢れた量を最小限に抑えることができる（不図示）。さらに、材料は汚染に対してあまり敏感ではなく、親水性である可能性があり、光の進入を良好にするために半透明であり得る。
【０１０２】
洗浄（低粘度部）光硬化型印象材と、針の小さな内腔を通して材料を押し出すための高圧を作り出すことができる注射器を備えた小径針を備える洗浄送達キットが実現され得る。洗浄材料は、歯肉組織による印象材の「崩壊性」を減少させるための繊維及び粒子を有し得る。洗浄材料は、放射線不透過性であるため、光学スキャナー又はマイクロＣＴでスキャンされ得る。
【０１０３】
さらに、光学的又は物理的特性のいずれかのために印象材に粒子を追加することができ、効果的な硬化光の保存を可能にするために硬化光周波数で非吸収になるように選択され得る。例えば、青色光硬化開始システムの場合、青色の非蛍光粒子が望ましい。ベース樹脂と同様の粒子の屈折率は、硬化の深さを増加させるために望まれ得る。半透明性を低下させることでより高い可読性を得るには、酸化チタンのような散乱粒子がある程度望まれ得る。
【０１０４】
別の実施形態において、光硬化型材料は、部分義歯の周辺印象を作成するのに有用であり得る。臨床医はトレイの周辺部分に一定量の印象を置き、ヘリ型を調製する。
【０１０５】
この光硬化型親水性洗浄材料を使用して、最初に溝を充填し、次に第２段階で、硬化した洗浄材料を印象材の本体で取り上げることで印象を作ることは、必要に応じて、無制限の作業時間と溝の増分充填を可能にする。動作フィールドを、硬化波長を除去するフィルター光で照らすと、無制限の作業時間が可能になる（例えば、周知のオレンジ色のフィルターを使用）。あるいは、動作フィールドを照明するために使用される動作ライトが間接的に照明するように向けられている、例えば、光は患者の顎に向けられている場合、実質的に無制限の作業時間を持つことができる。硬化波長フィルタリングなしの動作ライトの場合（例えば、典型的なオレンジ色の半透明フィルター）、そのとき硬化時間が長い洗浄材料を使用できよう。そのようなより長い作業時間の洗浄材料を使用する場合、硬化時間をより長い期間に調整する必要がある。言い換えれば、フィールドの可視性に使用される高強度の動作ライトは一定量の硬化光を生成するため、これらは洗浄材料をあまりにも速く硬化させる可能性があり、反応性の低い洗浄印象材を使用することが可能である。
【０１０６】
光硬化印象トレイは、硬化の程度を表示するために、再利用可能なトレイの頬側と舌側に置かれるセンサーを有し得る。例えば、トレイの一方の側にミニチュアスピーカーを埋め込み、もう一方の側にマイクを埋め込むことができる。印象材の硬化の前後で音の伝達が異なり、音信号を変調することが知られている。その後、この信号を電子的に処理して、硬化の程度を表示することができる。あるいは、電気抵抗検出器も想定され得る。
【０１０７】
実施形態の動作［再利用可能な発光トレイ用］
印象材５０、１６、１７、１８、１９は、再利用可能な発光印象トレイ８にきちんと適合する単回使用のトレイ１、１ａに事前埋設され得る。特定の各トレイ８には、特定の一致する事前埋設トレイインサート１、１ａを有し得る。使用中、開業医は、事前埋設トレイインサートを、光保護オーバーパッケージ５１（バッグ、ポーチ、ラップ、トレイなど、不図示）から外すだけであろう。次に、ユーザーは、事前埋設インサートを発光トレイ８に置き、起動モジュール２を取り付け、印象材を覆う非粘着性の保護ライナー又は蓋４８を取り外す。ユーザーは、トレイを患者の口に挿入し、トレイと患者の位置を合わせ、モジュール２を起動し、これによりＬＥＤ６、ライトパイプ３０（又はその他の硬化光源）が照明する。光硬化印象材５０、１６、１７、１８、１９は、１秒未満で硬化し得る。
【０１０８】
実施形態の動作（単回使用の発光トレイ用）
印象材５０、１６、１７、１８、１９は、単回使用の発光印象トレイ８ｂ、８ｃ、８ｅ、８ｆに事前埋設され得る。使用中、開業医は、事前埋設トレイを光保護オーバーパッケージ５１（バッグ、ポーチ、ラップ、トレイなど、不図示）から外し、起動モジュール２を取り付けるだけであろう。その後、ユーザーは、印象材を覆っている非粘着性保護ライナー又は蓋４８を外す。ユーザーは、トレイを患者の口に挿入し、トレイと患者の位置を合わせて、モジュール２を起動し、これにより、ＬＥＤ６、ライトパイプ３０（又はその他の硬化光源）が適切な時間照明する。光硬化印象材５０、１６、１７、１８、１９は、１秒未満で硬化し得る。
【０１０９】
本明細書に記載及び図解されているのは、いくつかのバリエーションのある本開示の実施形態である。本明細書で使用される用語、説明、及び図は、説明のみを目的として記載されており、限定を意味するものではない。当業者は、本開示の精神及び範囲内で多くの変形が可能であることを認識し、すべての用語は、特に示されない限り、最も広く合理的な意味で意味される。したがって、本開示は、上記の例示的な実施形態のいずれによっても限定されるべきではなく、添付の特許請求の範囲及びそれらの均等物に従ってのみ定義されるべきである。本明細書で説明する本実施形態のアーキテクチャは、図面に示されている以外の方法で利用及びナビゲートできるように、十分に柔軟に構成可能である。
【図１】
2020514001.tif 000003
【図２】
2020514001.tif 000004
【図３】
2020514001.tif 000005
【図４ａ】
2020514001.tif 000006
【図４ｂ】
2020514001.tif 000007
【図５】
2020514001.tif 000008
【図６】
2020514001.tif 000009
【図７】
2020514001.tif 000010
【図８】
2020514001.tif 000011
【図９ａ】
2020514001.tif 000012
【図９ｂ】
2020514001.tif 000013
【図１０】
2020514001.tif 000014
【図１１Ａ】
2020514001.tif 000015
【図１１Ｂ】
2020514001.tif 000016
【図１１Ｃ】
2020514001.tif 000017
【図１２】
2020514001.tif 000018
【図１３】
2020514001.tif 000019
【図１４】
2020514001.tif 000020
【図１５】
2020514001.tif 000021
【図１６】
2020514001.tif 000022
【図１７】
2020514001.tif 000023
【図１８】
2020514001.tif 000024
【図１９】
2020514001.tif 000025
【図２０】
2020514001.tif 000026
【図２１】
2020514001.tif 000027
【図２２】
2020514001.tif 000028
【図２３】
2020514001.tif 000029
【図２４ａ】
2020514001.tif 000030
【図２４ｂ】
2020514001.tif 000031
【図２４ｃ】
2020514001.tif 000032
【図２４ｄ】
2020514001.tif 000033
【図２５ａ】
2020514001.tif 000034
【図２５ｂ】
2020514001.tif 000035
【図２５ｃ】
2020514001.tif 000036
【図２５ｄ】
2020514001.tif 000037
【図２６ａ】
2020514001.tif 000038
【図２６ｂ】
2020514001.tif 000039
【図２６ｃ】
2020514001.tif 000040
【図２７】
2020514001.tif 000041
【図２８ａ】
2020514001.tif 000042
【図２８ｂ】
2020514001.tif 000043
【図２９】
2020514001.tif 000044
【図３０ａ】
2020514001.tif 000045
【図３０ｂ】
2020514001.tif 000046
【図３０ｃ】
2020514001.tif 000047
【図３１】
2020514001.tif 000048
【図３２】
2020514001.tif 000049
【図３３】
2020514001.tif 000050
【図３４】
2020514001.tif 000051
【図３５】
2020514001.tif 000052
【図３６】
2020514001.tif 000053
【図３７】
2020514001.tif 000054
【図３８】
2020514001.tif 000055
【図３９】
2020514001.tif 000056
【図４０】
2020514001.tif 000057
【図４１】
2020514001.tif 000058
【図４２】
2020514001.tif 000059
【図４３】
2020514001.tif 000060
【図４４】
2020514001.tif 000061
【図４５】
2020514001.tif 000062
【図４６】
2020514001.tif 000063
【図４７】
2020514001.tif 000064
【図４８】
2020514001.tif 000065
【図４９】
2020514001.tif 000066
【国際調査報告】
2020514001.tif 000067
2020514001.tif 000068
2020514001.tif 000069